(57)【要約】【課題】ユーザの利便性を維持しながら、第三者への情報の漏洩を防止する。【解決手段】表示制御装置５００は、姿勢取得手段としての姿勢取得部５１０、視認状態判定手段としての視認状態判定部５２０及び表示データ出力手段としての表示データ出力部５３０を備える。姿勢取得部５１０は、通信端末５の筐体の姿勢を取得する。視認状態判定部５２０は、姿勢取得部５１０によって取得された筐体の姿勢に応じて、通信端末５の複数の表示部のうちユーザが視認可能な表示部を判定する。表示データ出力部５３０は、視認状態判定部５２０の判定結果に基づいて、表示部に表示データを出力する。例えば、表示データ出力部５３０は、ユーザが視認可能な表示部に、設定された表示項目を示すデータが含まれた表示データを出力するとともに、ユーザが視認不能な表示部に表示データを出力しない。【選択図】図１４
2014048520.tif 000002
【特許請求の範囲】
【請求項１】
筐体の互いに異なる面に配置された複数の表示部への表示データの出力を制御する表示制御装置であって、
前記筐体の姿勢を取得する姿勢取得手段と、
当該取得された筐体の姿勢に応じて、前記複数の表示部のうちユーザが視認可能な表示部を判定する視認状態判定手段と、
当該視認状態判定手段の判定結果に基づいて、前記表示部に表示データを出力する表示データ出力手段と、
を備えることを特徴とする表示制御装置。
【請求項２】
前記表示データには、表示項目を示すデータである表示項目データが複数含まれ、
前記表示データ出力手段は、前記視認可能と判定された表示部に前記複数の表示項目データのうちの一部を出力し、前記視認可能と判定されなかった表示部に前記複数の表示項目データの全てを出力する、
ことを特徴とする請求項１に記載の表示制御装置。
【請求項３】
前記表示データには、表示項目を示すデータである表示項目データが複数含まれ、
前記表示データ出力手段は、前記視認可能と判定された表示部に前記複数の表示項目データのうちの一部を出力し、前記視認可能と判定されなかった表示部に表示データを出力しない、
ことを特徴とする請求項１に記載の表示制御装置。
【請求項４】
前記視認可能と判定された表示部に出力する前記表示項目データを設定する表示項目設定手段をさらに備える、
ことを特徴とする請求項１乃至３のいずれか１項に記載の表示制御装置。
【請求項５】
ユーザが前記筐体を手に取る動作を開始したタイミング及び完了したタイミングの少なくとも一方を取得動作タイミングとして取得する取得動作タイミング取得手段をさらに備え、
前記表示データ出力手段は、前記取得された取得動作タイミングに応じて、前記表示部に表示データを出力するタイミングを決定する、
ことを特徴とする請求項１乃至４のいずれか１項に記載の表示制御装置。
【請求項６】
前記筐体の加速度を検出する加速度検出手段と、
前記筐体とユーザとの接触の有無を検出する接触検出手段とをさらに備え、
前記取得動作タイミング取得手段は、前記検出された筐体の加速度及び前記筐体とユーザとの接触の有無に応じて、前記取得動作タイミングを取得する、
ことを特徴とする請求項５に記載の表示制御装置。
【請求項７】
前記表示データ出力手段は、前記取得動作タイミングが取得されない場合、表示データを出力しない、
ことを特徴とする請求項５又は６に記載の表示制御装置。
【請求項８】
前記筐体は相互の配置を変更可能な複数の筐体から構成され、
前記複数の筐体の相互の配置を検出する筐体配置検出手段をさらに備え、
前記視認状態判定手段は、前記検出された複数の筐体の配置にさらに応じて、前記複数の表示部のうちユーザが視認可能な表示部を判定する、
ことを特徴とする請求項１乃至７のいずれか１項に記載の表示制御装置。
【請求項９】
筐体の互いに異なる面に複数の表示部を有し、請求項１乃至８のいずれか１項に記載の表示制御装置を備える通信端末。
【請求項１０】
筐体の互いに異なる面に配置された複数の表示部への表示データの出力を制御する表示制御方法であって、
前記筐体の姿勢を取得する姿勢取得ステップと、
当該取得された筐体の姿勢に応じて、前記複数の表示部のうちユーザが視認可能な表示部を判定する視認状態判定ステップと、
当該視認状態判定ステップの判定結果に基づいて、前記表示部に表示データを出力する表示データ出力ステップと、
を含むことを特徴とする表示制御方法。
【発明の詳細な説明】
【技術分野】
【０００１】
本発明は、複数の表示部への表示データの出力を制御する表示制御装置、通信端末及び表示制御方法に関する。
【背景技術】
【０００２】
従来のこの種の表示制御装置として、例えば、特許文献１に開示されたものが知られている。この表示制御装置は、折りたたみ式の携帯電話機の表示部への表示データを制御するものである。携帯電話は、３つの筐体から構成されている。第１の筐体と第２の筐体は、第１のヒンジ部を介して回動自在に接続されており、第２の筐体と第３の筐体は、第２のヒンジ部を介して回動自在に接続されている。第１の筐体は、マイク、アンテナ及びダイヤルボタンなどを有し、第２の筐体は、スピーカ及び第１の表示部を有し、第３の筐体は、第２の表示部を有する。
【０００３】
この携帯電話機は、第１の筐体と第２の筐体が折り畳まれているときに、第１の表示部が両筐体の間に挟まれる形になり、第２の表示部が露出した状態になる。表示制御装置は、第２の表示部に表示データを出力する。
【０００４】
第１の筐体と第２の筐体が開いているときには、第１の表示部と第２の表示部の両方が露出した状態になる。この状態において、第２の筐体と第３の筐体が開かれた状態では、第１及び第２の表示部の両方がユーザの方を向く。表示制御装置は、第１及び第２の表示部の両方に表示データを出力する。
【０００５】
一方、第２の筐体と第３の筐体が折り畳まれた状態では、第１の表示部はユーザ側を向き、第２の表示部はその反対側を向く。表示制御装置は、第１及び第２の表示部の両方に表示データを出力する。
【先行技術文献】
【特許文献】
【０００６】
【特許文献１】特開２００７−３２９７１３号公報
【発明の概要】
【発明が解決しようとする課題】
【０００７】
上述した携帯電話機は、表示部を視認可能な範囲が広いので、第三者に情報が漏れやすい。例えば、ユーザの近くに第三者がいるときに電話の着信やメールの受信があった場合、第三者にも表示部に表示された着信情報および受信情報が視認されるおそれがある。
【０００８】
このような問題点を解決するために、例えば、着信情報および受信情報に含まれる項目を常に少なくすることによって、第三者への情報の漏洩を防止することも考えられる。しかし、その場合には、情報の漏洩は防止されるものの、ユーザの利便性が損なわれてしまう。
【０００９】
本発明は、以上のような課題を鑑みてなされたものであり、ユーザの利便性を維持しながら、第三者への情報の漏洩を防止することができる表示制御装置、通信端末及び表示制御方法を提供することを目的とする。
【課題を解決するための手段】
【００１０】
上記目的を達成するため、本発明の第１の観点にかかる表示制御装置は、
筐体の互いに異なる面に配置された複数の表示部への表示データの出力を制御する表示制御装置であって、
前記筐体の姿勢を取得する姿勢取得手段と、
当該取得された筐体の姿勢に応じて、前記複数の表示部のうちユーザが視認可能な表示部を判定する視認状態判定手段と、
当該視認状態判定手段の判定結果に基づいて、前記表示部に表示データを出力する表示データ出力手段と、
を備えることを特徴とする。
【００１１】
また、本発明の第２の観点に係る通信端末は、
筐体の互いに異なる面に複数の表示部を有し、上述の表示制御装置を備える。
【００１２】
また、本発明の第３の観点に係る表示制御方法は、
筐体の互いに異なる面に配置された複数の表示部への表示データの出力を制御する表示制御方法であって、
前記筐体の姿勢を取得する姿勢取得ステップと、
当該取得された筐体の姿勢に応じて、前記複数の表示部のうちユーザが視認可能な表示部を判定する視認状態判定ステップと、
当該視認状態判定ステップの判定結果に基づいて、前記表示部に表示データを出力する表示データ出力ステップと、
を含む。
【発明の効果】
【００１３】
本発明によれば、ユーザの利便性を維持しながら、第三者への情報の漏洩を防止することができる。
【図面の簡単な説明】
【００１４】
【図１】本発明の実施の形態１に係る表示制御装置を備えた折り畳み型の通信端末の例を形態別に示す図であり、（ａ）は、第１の形態の例を示し、（ｂ）は、第２の形態の例を示し、（ｃ）は、第３の形態の例を示す。
【図２】図１に示した通信端末の構成を示すブロック図である。
【図３】通信端末の形態及び姿勢と視認可能な表示部との関係を示す図である。
【図４】シークレットモードの解除中及び設定中における電話着信時の表示項目を示す図である。
【図５】シークレットモードの解除中及び設定中におけるメール受信時の表示項目を示す図である。
【図６】図１の通信端末における表示部の表示制御処理を示すフローチャートである。
【図７】図１の通信端末における第３の形態用の表示制御処理を示すフローチャートである。
【図８】図１の通信端末において各表示部に表示される表示項目を示す図である。
【図９】実施の形態２に係る通信端末における第３の形態用の表示制御処理を示すフローチャートである。
【図１０】図９の通信端末において各表示部に表示される表示項目を示す図である。
【図１１】実施の形態３に係る通信端末の構成を示すブロック図である。
【図１２】図１１の通信端末における第３の形態用の表示制御処理を示すフローチャートである。
【図１３】実施の形態４に係る通信端末における第３の形態用の表示制御処理を示すフローチャートである。
【図１４】実施の形態５に係る表示制御装置の構成を示すブロック図である。
【図１５】図１４の表示制御装置の表示制御処理を示すフローチャートである。
【発明を実施するための形態】
【００１５】
本発明に係る実施の形態を、図面を参照して以下に説明する。
【００１６】
（実施の形態１）
本実施の形態１では、本発明に係る表示制御装置１００を備える通信端末１を、携帯電話機として実現した場合を例に説明する。本実施の形態１では、図１に示すような、いわゆる折り畳み型の携帯電話機を想定する。
【００１７】
本実施の形態１に係る通信端末１は、図１に示すように、略矩形の第１の筐体１１と第２の筐体１２とが、それらの短辺において、１軸のヒンジ１３を介して、回動可能に連結されている。また、第１の筐体１１には第１の表示部１６０Ａが設けられ、第２の筐体１２には第２の表示部１６０Ｂが設けられている。
【００１８】
図１（ａ）では、第１の表示部１６０Ａと第２の表示部１６０Ｂとが接するように、通信端末１が閉じられている（以下、この形態を「第１の形態」という）。第１の形態では、第１の表示部１６０Ａ及び第２の表示部１６０Ｂがいずれも隠れた状態になる。この第１の形態は、例えば、通信端末１をカバンやポケットの中に収納する際に選択される。
【００１９】
第１の形態から、第１の筐体１１と第２の筐体１２を開くと、図１（ｂ）に示す「第２の形態」になる。この第２の形態では、第１の表示部１６０Ａ及び第２の表示部１６０Ｂが露出し、例えば、第１の表示部１６０Ａ及び第２の表示部１６０Ｂの表示方向が同じになる。この第２の形態は、通信端末１の音声通話機能を使用するときや、電子メールの作成・閲覧時などに選択される。
【００２０】
第２の形態から、第１の筐体１１と第２の筐体１２をさらに開き、それらが背中合わせになるまで開くと、図１（ｃ）に示す「第３の形態」になる。この第３の形態では、第１の表示部１６０Ａ及び第２の表示部１６０Ｂが露出しており、かつ、それらの表示方向は互いに反対になる。この第３の形態は、例えば、通信端末１をテーブルの上に置く際に選択される。
【００２１】
次に、このような筐体構造の通信端末１の内部構成を、図２に示す通信端末１の内部構成を示すブロック図を参照しながら説明する。
【００２２】
図２に示すように、通信端末１は、制御部１１０、通信部１２０、音声処理部１３０、記憶部１４０、操作部１５０、表示部１６０（第１の表示部１６０Ａ、第２の表示部１６０Ｂ）、報知部１７０、状態検出部１８０などで構成されている。
【００２３】
制御部１１０は、例えば、ＣＰＵ（Central Processing Unit：中央演算処理装置）及びワークエリアとなるＲＡＭ（Random Access Memory）などで構成され、所定の動作プログラムを実行することで通信端末１の各部を制御する。通信端末１の各構成は制御部１１０によって制御されるとともに、各構成間の情報伝達などは制御部１１０を介して行われる。
【００２４】
ＲＡＭには、アドレス帳が記憶されている。アドレス帳には、例えば、個人や法人を示す氏名、電話番号、送信電子メールの送信先及び受信メールの発信元を示すメールアドレス（アドレス）、送信する電子メールの件名及び本文にフォントを指定する書式、及びメモなどが書き込まれている。
【００２５】
また、制御部１１０は、後述するように各機能構成を有している。
【００２６】
通信部１２０は、通信端末１が通信を行う際の無線アクセスを行うものであり、例えば、所定の通信方式を用いた通信装置などで構成され、当該通信方式に対応したアンテナ１２１による無線送受信を行うことで、近傍の基地局と無線通信を行う。
【００２７】
音声処理部１３０は、例えば、音声データ用のコーデック回路などで構成され、通信端末１の音声入出力に係る処理を行う。通信部１２０で受信したデジタル音声データをアナログ音声信号に変換してスピーカ１３１から出力する受話動作や、マイクロフォン１３２から入力されたユーザの発話音声をデジタル音声データに変換して通信部１２０に送出する送話動作などを行う。
【００２８】
記憶部１４０は、例えば、フラシュメモリなどの記憶装置であり、制御部１１０が実行する動作プログラムを格納する他、本発明を実現するために必要な種々のデータを格納する。
【００２９】
操作部１５０は、例えば、第１の筐体１１の外面上に構成されたボタンなどで構成され、通信端末１のユーザによって操作される。操作部１５０は、各ボタンに接続された入力回路などを備え、ユーザの操作に応じた入力信号を生成して制御部１１０に入力する。
【００３０】
第１の筐体１１側の第１の表示部１６０Ａ及び第２の筐体１２側の第２の表示部１６０Ｂから構成された表示部１６０は、例えば、有機ＥＬ（Organic Electro-Luminescence）画面などで構成された表示出力装置である。
【００３１】
第１の筐体１１側の第１の表示部１６０Ａは、タッチパネル機能を有する。このタッチパネル機能は、テンキーなどに代わる入力機能を供する。表示出力機能と入力機能との切換えは、制御部１１０からの指令によって行われる。
【００３２】
報知部１７０は、電話の着信やメールの受信をユーザに報知するものであり、バイブレータ、サウンドスピーカ及びＬＥＤ（Light Emitting Diode）（いずれも図示せず）などで構成される。
【００３３】
状態検出部１８０は、第１の筐体１１と第２の筐体１２とを連結するヒンジ１３に取り付けられた角度センサ１８１及び第１の筐体１１の内部に設けられたジャイロスコープ１８２を有する。
【００３４】
角度センサ１８１は、第１の筐体１１と第２の筐体１２との成す角度θを検出するものであり、ロータリーエンコーダなどで構成される。角度センサ１８１は、ヒンジ１３の軸が所定角度回転する毎にパルス信号を発生し、このパルス信号を制御部１１０に入力する。制御部１１０は、入力されたパルス信号に基づいて、第１の筐体１１と第２の筐体１２との成す角度θを算出する。
【００３５】
ジャイロスコープ１８２は、第１の筐体１１の姿勢（地表に対する傾き）を検出するものであり、櫛形に並べられた可動電極などで構成される。ジャイロスコープ１８２は、可動電極間の静電容量の変化に応じた検出信号を制御部１１０に入力する。
【００３６】
次いで、制御部１１０の機能構成について説明する。
制御部１１０は、形態判定部１１１、上下判定部１１２、視認状態判定部１１３、表示データ出力部１１４及び表示項目設定部１１５を備える。
【００３７】
形態判定部１１１は、角度センサ１８１が検出した角度θに基づいて、通信端末１の形態、即ち、通信端末１が第１の形態、第２の形態または第３の形態のうちいずれの形態であるかを判定する「形態判定処理」を行うものである。
【００３８】
上下判定部１１２は、ジャイロスコープ１８２が検出した筐体１１の姿勢と形態判定部１１１が判定した形態とに基づき、第１の表示部１６０Ａが表示部１６０Ｂよりも上側であるか下側であるかを判定する「上下判定処理」を行うものである。
【００３９】
視認状態判定部１１３は、上下判定部１１２が判定した結果に基づいて、視認可能な表示部１６０を判定する「視認状態判定処理」を行うものである。
【００４０】
表示データ出力部１１４は、例えば、「着信日時」や「相手の氏名」などの表示項目データが含まれた表示データを表示部１６０に出力するものである。
【００４１】
表示項目設定部１１５は、後述するようにシークレットモードに設定した場合に、ユーザが予め選択した項目を表示部１６０に表示する表示項目として設定するものである。
【００４２】
姿勢取得手段は、ジャイロスコープ１８２から構成される。
視認状態判定手段は、視認状態判定部１１３から構成される。
表示データ出力手段は、表示データ出力部１１４から構成される。
表示項目設定手段は、表示項目設定部１１５から構成される。
筐体配置検出手段は、形態判定部１１１と角度センサ１８１から構成される。
【００４３】
また、表示制御装置１００は、図２に示すように制御部１１０、記憶部１４０及び状態検出部１８０等から構成される。
【００４４】
次に、制御部１１０において実行される各種の判定処理について説明する。
【００４５】
形態判定部１１１は、第１の筐体１１と第２の筐体１２との成す角度θに基づいて、通信端末１の形態を判定する「形態判定処理」を実行する。例えば、０°≦θ＜４５°の場合には第１の形態、４５°≦θ≦１８０°の場合には第２の形態、１８０°＜θ＜３６０°の場合には第３の形態と判定する。
【００４６】
上下判定部１１２は、通信端末１の形態及び第１の筐体１１の姿勢に基づいて、第１の表示部１６０Ａと第２の表示部１６０Ｂとの位置関係を判定する「上下判定処理」を実行する。この上下判定処理では、第１の筐体１１が表向き（図１に示す第１の表示部１６０Ａが上方を向く向き）の状態において、通信端末１の形態が第１の形態又は第２の形態の場合、第１の表示部１６０Ａが下側で第２の表示部１６０Ｂが上側であると判定する。通信端末１の形態が第３の形態の場合、第１の表示部１６０Ａが上側で第２の表示部１６０Ｂが下側であると判定する。
【００４７】
視認状態判定部１１３は、形態判定部１１１が行った「形態判定処理」の判定結果及び上下判定部１１２が行った「上下判定処理」の判定結果に基づいて、その時点における表示部１６０の視認状態を判定する「視認状態判定処理」を実行する。その判定方法を、図３を参照しながら説明する。視認状態判定部１１３は、通信端末１が第１の形態の場合、「上下判定処理」の判定結果にかかわらず、第１の表示部１６０Ａ及び第２の表示部１６０Ｂの両方が視認不能（×と図示）と判定する。視認状態判定部１１３は、通信端末１が第２の形態の場合、「上下判定処理」の判定結果にかかわらず、第１の表示部１６０Ａ及び第２の表示部１６０Ｂの両方が視認可能（○と図示）と判定する。
【００４８】
視認状態判定部１１３は、通信端末１が第３の形態の場合、「上下判定処理」の判定結果に基づいて、第１の表示部１６０Ａが上側のときには、第１の表示部１６０Ａが視認可能で、第２の表示部１６０Ｂが視認不能と判定する。また、視認状態判定部１１３は、第２の表示部１６０Ｂが上側のときには、第２の表示部１６０Ａが視認可能で、第１の表示部１６０Ａが視認不能と判定する。
【００４９】
次に、通信端末１のシークレットモード機能について説明する。シークレットモードとは、視認可能な表示部１６０の表示項目を制御するモードである。シークレットモードの設定／解除および表示項目の設定は、通信端末１が第２の形態のときに、ユーザがタッチパネル上のキーを操作することによって行うことができる。
【００５０】
シークレットモードが解除されているときに、電話の着信があると、制御部１１０は、着信に関する表示項目を示すデータ（以下、「着信表示項目データ」という）の全てが含まれた表示データを生成する処理を実行する。表示データ出力部１１４は、生成された表示データを表示部１６０に出力する。すると、図４に示すように、「着信中」のメッセージと、「着信日時」「相手の氏名」「相手の電話番号」「分類（例えば、家族、取引先等）」「会社名・団体名」「部署名」「役職」及び「メモ」とが表示部１６０に表示される。「相手の電話番号」は電話会社の交換所から発信されたものが表示され、それ以外の表示項目の内容はアドレス帳に予め書き込んだものが表示される。
【００５１】
一方、シークレットモードが設定されているときに電話の着信があると、制御部１１０は、全ての着信表示項目データが含まれた表示データを生成する処理を実行して、表示項目設定部１１５は、ユーザによって予め選択されていた項目を表示部１６０に表示する表示項目として設定する。以下、この処理をシークレット処理という。
【００５２】
表示データ出力部１１４は、設定された表示項目の着信表示項目データが含まれた表示データを表示部１６０に出力する。すると、「着信中」のメッセージと、「着信日時」「相手の氏名」「相手の電話番号」の中でユーザが選択した表示項目とが表示部１６０に表示される。「分類」「会社名・団体名」「部署名」「役職」及び「メモ」は表示されない。
【００５３】
シークレットモードが解除されているときに、メールの受信があると、制御部１１０は、受信に関する表示項目を示すデータ（以下、「受信表示項目データ」という）の全てが含まれた表示データを生成する処理を実行する。表示データ出力部１１４は、生成された表示データを表示部１６０に出力する。すると、図５に示すように、「新規メールあり」のメッセージと、「受信日時」「相手の氏名」「相手のメールアドレス」「分類」「会社名・団体名」「部署名」「役職」及び「メモ」とが第１の表示部１６０Ａ及び／又は第２の表示部１６０Ｂに表示される。「相手のメールアドレス」は電話会社の交換所から発信されたものが表示され、それ以外の表示項目の内容はアドレス帳に予め書き込んだものが表示される。
【００５４】
一方、シークレットモードが設定されているときにメールの受信があると、制御部１１０は、全ての受信表示項目データが含まれた表示データを生成する処理を実行して、表示項目設定部１１５は、ユーザによって予め選択されていた項目を表示部１６０に表示する表示項目として設定する（シークレット処理）。
【００５５】
表示データ出力部１１４は、設定された表示項目の受信表示項目データが含まれた表示データを表示部１６０に出力する。すると、「新規メールあり」のメッセージと、「受信日時」「相手の氏名」「相手のメールアドレス」の中でユーザが選択した表示項目（表示項目設定部１１５が設定した表示項目）とが表示部１６０に表示される。「分類」「会社名・団体名」「部署名」「役職」及び「メモ」は表示されない。
【００５６】
次に、図６を参照しながら、制御部１１０において実行される表示部１６０の「表示制御処理」について説明する。本処理は、電話の着信時及びメールの受信時に開始される。
【００５７】
表示制御処理が開始されると、形態判定部１１１は、第１の筐体１１と第２の筐体１２との成す角度θに基づいて通信端末１の形態を判定する「形態判定処理」を実行する（ステップＳ１０１）。次に、形態判定部１１１は、通信端末１が第１の形態であるか否かを判定する（ステップＳ１０２）。
【００５８】
通信端末１の形態が第１の形態である場合（ステップＳ１０２：ＹＥＳ）、制御部１１０は、報知部１７０を構成するバイブレータ、サウンドスピーカ及びＬＥＤを作動させ、第１の表示部１６０Ａ及び１６０Ｂを消灯状態に維持する。
【００５９】
一方、通信端末１の形態が第１の形態でない場合（ステップＳ１０２：ＮＯ）、形態判定部１１１は、通信端末１の形態が第２の形態であるか否かを判定する（ステップＳ１０３）。通信端末１の形態が第２の形態である場合（ステップＳ１０３：ＹＥＳ）、制御部１１０は、通信端末１がシークレットモードに設定されているか否かを判定する（ステップＳ１０４）。
【００６０】
通信端末１がシークレットモードに設定されている場合（ステップＳ１０４：ＹＥＳ）、制御部１１０は、前述したシークレット処理を実行する（ステップＳ１０５）。
【００６１】
一方、シークレットモードが解除されている場合（ステップＳ１０４：ＮＯ）、制御部１１０は、シークレット処理（ステップＳ１０５）をスキップする。
【００６２】
そして、表示データ出力部１１４は、第２の表示部１６０Ｂに表示データを出力する（ステップＳ１０６）。その際に、表示データ出力部１１４は、シークレットモードが解除されている場合には、全表示項目を示すデータが含まれた表示データを第２の表示部１６０Ｂに出力し、シークレットモードが設定されている場合には、ユーザが設定した表示項目を示すデータが含まれた表示データを第２の表示部１６０Ｂに出力する。
【００６３】
一方、通信端末１の形態が、第１の形態でも第２の形態でもない場合（ステップＳ１０３：ＮＯ）、形態判定部１１１は、通信端末１の形態が第３の形態であると判定し、「第３の形態用の表示制御処理」を実行する（ステップＳ１０７）。
【００６４】
「第３の形態用の表示制御処理」を、図７に示すフローチャートを参照して説明する。本実施の形態１では、通信端末１がテーブルの上に置かれた状態から処理が開始される。
【００６５】
第３の形態用の表示制御処理が開始されると、上下判定部１１２は、「上下判定処理」を実行する（ステップＳ２０１）。そして、視認状態判定部１１３は、視認可能な表示部１６０を判定する「視認状態判定処理」を実行する（ステップＳ２０２）。
【００６６】
次に、制御部１１０は、通信端末１がシークレットモードに設定されているか否かを判定する（ステップＳ２０３）。通信端末１がシークレットモードに設定されている場合（ステップＳ２０３：ＹＥＳ）、前述したシークレット処理を実行する（ステップＳ２０４）。
【００６７】
一方、シークレットモードが解除されている場合（ステップＳ２０３：ＮＯ）、制御部１１０は、シークレット処理（ステップＳ２０４）をスキップする。
【００６８】
そして、表示データ出力部１１４は、表示部１６０に表示データを出力する（ステップＳ２０５）。その際、表示データ出力部１１４は、シークレットモードが解除されている場合には、視認可能な上側の表示部１６０に、設定された表示項目を示すデータが含まれた表示データを出力するとともに、視認不能な下側の表示部１６０に表示データを出力しない。
【００６９】
一方、表示データ出力部１１４は、シークレットモードが設定されている場合には、視認可能な上側の表示部１６０に、ユーザが選択した表示項目（表示項目設定部１１５が設定した表示項目）を示すデータが含まれた表示データを出力するとともに、視認不能な下側の表示部１６０に、全表示項目を示すデータが含まれた表示データを出力する。上述した制御を行う結果、各表示部１６０には図８に示す表示項目が表示される。
【００７０】
以上説明したように、本実施の形態１によれば、シークレットモードが設定されている場合には、視認可能な表示部１６０にユーザが予め設定した表示項目のみを表示するので、第三者への情報の漏洩を防止することができる。
【００７１】
第３の形態用の表示制御処理では、ユーザが詳細な情報を得るまでに、通信端末１を手に取り、裏返す動作を介するので、第三者への情報の漏洩を防止することができる。
【００７２】
第３の形態用の表示制御処理では、視認不能な下側の表示部１６０に全表示項目を表示するので、その表示部１６０を見るだけで詳細な情報を得ることができ、ユーザの利便性を維持することができる。
【００７３】
シークレットモードが解除されている場合には、視認可能な表示部１６０に全表示項目を表示するので、状況に応じた情報の保護を適切に行うことができる。
【００７４】
（実施の形態２）
次に、本発明の実施の形態２について図９と図１０を参照して説明する。
【００７５】
実施の形態２に係る通信端末は、実施の形態１に係る通信端末１と同様の構成部分を有するので、通信端末１と同様の構成部分については、同じ符号を付すことで説明を省略する。以下、実施の形態３、４、５についても同様とする。
【００７６】
図９を参照しながら、本発明の実施の形態２に係る通信端末による「表示制御処理」について説明する。本実施の形態２は、上記実施の形態１と「第３の形態用の表示制御処理」が異なる。以下、実施の形態２の「第３の形態用の表示制御処理」について説明する。
【００７７】
第３の形態用の表示制御処理が開始されると、上下判定部１１２は、「上下判定処理」を実行する（ステップＳ３０１）。そして、視認状態判定部１１３は、前述した「視認状態判定処理」を実行する（ステップＳ３０２）。
【００７８】
次に、制御部１１０は、通信端末１がシークレットモードに設定されているか否かを判定する（ステップＳ３０３）。通信端末１がシークレットモードに設定されている場合（ステップＳ３０３：ＹＥＳ）、制御部１１０は、前述したシークレット処理を実行する（ステップＳ３０４）。
【００７９】
一方、シークレットモードが解除されている場合（ステップＳ３０３：ＮＯ）、制御部１１０は、シークレット処理（ステップＳ３０４）をスキップする。
【００８０】
そして、表示データ出力部１１４は、視認可能な上側の表示部１６０に表示データを出力する（ステップＳ３０５）とともに、視認不能な下側の表示部１６０には表示データを出力しない。そして、図６の表示制御処理のフローに戻る。
【００８１】
その際、表示データ出力部１１４は、シークレットモードが解除されている場合には、視認可能な上側の表示部１６０に、全表示項目を示すデータが含まれた表示データを出力し、シークレットモードが設定されている場合には、ユーザが選択した表示項目（表示項目設定部１１５が設定した表示項目）を示すデータが含まれた表示データを出力する。上述した制御を行う結果、各表示部１６０には図１０に示す表示項目が表示される。
【００８２】
以上説明したように、本実施の形態によれば、シークレットモードに設定されている場合には、前述した実施の形態１と同様に、視認可能な上側の表示部１６０にユーザが予め選択した表示項目を表示するので、第三者への情報の漏洩を防止できる。また、視認不能な下側の表示部１６０を消灯状態に維持するので、省電力化を図ることができる。
【００８３】
（実施の形態３）
次に、本発明に係る表示制御装置３００を備える通信端末３について図１１と図１２を参照して説明する。
【００８４】
状態検出部３８０は、実施の形態１で説明した状態検出部１８０の構成に加え、さらに第１の筐体１１及び第２の筐体１２の外面にそれぞれ設けられたタッチセンサ３８３及び加速度センサ３８４を有する。
【００８５】
タッチセンサ３８３は、ユーザの指先との接触を検出するものであり、導電膜などで構成される。タッチセンサ３８３は、ユーザの指先と導電膜との間の静電容量の変化に応じた検出信号を制御部３１０に入力する。制御部３１０は、入力された検出信号に基づいて、ユーザが通信端末３に触れているか否かを判定する。
【００８６】
加速度センサ３８４は、第１の筐体１１の加速度を検出するものであり、センサ素子可動部及び固定部などで構成される。加速度センサ３８４は、センサ素子可動部と固定部との間の静電容量の変化に応じた検出信号を制御部３１０に入力する。制御部３１０は、入力された検出信号に基づいて、第１の筐体１１の加速度を算出する。
【００８７】
接触検出手段は、タッチセンサ３８２から構成される。
加速度検出手段は、加速度センサ３８４から構成される。
【００８８】
次に、制御部３１０の機能構成について説明する。
【００８９】
制御部３１０は、実施の形態１で説明した制御部１１０の機能構成に加え、さらに取得判定部３１６を備える。
【００９０】
取得判定部３１６は、ユーザが通信端末３を取得したか否かを判定する「取得判定処理」を行うものである。
取得動作タイミング取得手段は、取得判定部３１６から構成される。
表示制御装置３００は、制御部３１０、記憶部１４０及び状態検出部３８０等から構成される。
【００９１】
次に、制御部３１０において実行される「取得判定処理」について説明する。
【００９２】
取得判定部３１６は、「取得判定処理」を実行し、タッチセンサ３８２の検出結果及び加速度センサ３８４の検出結果に応じて、通信端末３の取得状態、即ち、ユーザが通信端末３を取得したか否かを判定する。例えば、ユーザが通信端末３に触れておらず、かつ第１の筐体１１の加速度が０の場合、取得判定部３１６は、通信端末３が静止状態にあると判定する。タッチセンサ３８２がユーザの指先との接触を検知した後、加速度センサ３８４が第１の筐体１１の加速度を検出した場合、取得判定部３１６は、ユーザが通信端末３を手に取る動作を開始した（取得動作開始）と判定する。その後、第１の筐体１１の加速度が非常に小さくなった場合、取得判定部３１６は、ユーザが通信端末３を手に取る動作を完了した（取得動作完了）と判定する。取得動作が完了した状態は、ユーザが通信端末３を顔の前に構えたと推認される状態である。
【００９３】
次いで、図１２を参照しながら、本発明の実施の形態３による「表示制御処理」について説明する。本実施の形態は、上記実施の形態１及び２と「第３の形態用の表示制御処理」が異なる。以下、実施の形態３の「第３の形態用の表示制御処理」について説明する。
【００９４】
第３の形態用の表示制御処理が開始されると、取得判定部３１６は、「取得判定処理」を実行し（ステップＳ４０１）、通信端末３の取得動作が開始されたか否かを判定する（ステップＳ４０２）。通信端末３の取得動作が開始されていない場合（ステップＳ４０２：ＮＯ）、電話の着信又はメールの受信から所定の待機時間（例えば３０ｓｅｃ）が経過したか否かを判定する（ステップＳ４０３）。
【００９５】
待機時間が経過していない場合（ステップＳ４０３：ＮＯ）、上記ステップＳ４０１及びステップＳ４０２のステップ処理を再度実行する。待機時間が経過した場合（ステップＳ４０３：ＹＥＳ）、本処理を終了し、表示部１６０が消灯状態のままで図６の表示制御処理のフローに戻る。
【００９６】
一方、通信端末３の取得動作が開始された場合（ステップＳ４０２：ＹＥＳ）、取得動作の開始から所定時間（例えば３ｓｅｃ）が経過したか否かを判定する（ステップＳ４０４）。
【００９７】
所定時間が経過していない場合（ステップＳ４０４：ＮＯ）、所定時間の経過を待つ。所定時間が経過した場合（ステップＳ４０４：ＹＥＳ）、上下判定部１１２は、「上下判定処理」を実行する（ステップＳ４０５）。そして、視認状態判定部１１３は、「視認状態判定処理」を実行する（ステップＳ４０６）。
【００９８】
そして、表示データ出力部１１４は、視認可能な上側の表示部１６０に全表示項目を示すデータが含まれた表示データを出力する（ステップＳ４０７）とともに、視認不能な下側の表示部１６０に表示データを出力しない。そして、図６の表示制御処理のフローに戻る。
【００９９】
以上説明したように、実施の形態３では、通信端末３は、ユーザが通信端末３を取る動作を開始したタイミングを取得動作タイミングとして取得し、この取得動作タイミングに応じて、表示部１６０に表示データを出力するタイミングを決定する。従って、通信端末３は、意図しないタイミングで表示部１６０に表示データが出力されることが回避され、第三者への情報の漏洩を防止することができる。
【０１００】
（実施の形態４）
次に、本発明の実施の形態４について図１３を参照して説明する。
【０１０１】
本発明の実施の形態４に係る通信端末による「表示制御処理」について説明する。本実施の形態４は、上記実施の形態３と「第３の形態用の表示制御処理」が異なる。以下、実施の形態４の「第３の形態用の表示制御処理」について説明する。
【０１０２】
第３の形態用の表示制御処理が開始されると、取得判定部３１６は、「取得判定処理」を実行し（ステップＳ５０１）、通信端末３の取得動作が開始されたか否かを判定する（ステップＳ５０２）。通信端末３の取得動作が開始されていない場合（ステップＳ５０２：ＮＯ）、電話の着信又はメールの受信から所定の待機時間（例えば３０ｓｅｃ）が経過したか否かを判定する（ステップＳ５０３）。
【０１０３】
待機時間が経過していない場合（ステップＳ５０３：ＮＯ）、上記ステップＳ５０１及びステップＳ５０２のステップ処理を再度実行する。待機時間が経過した場合（ステップＳ５０３：ＹＥＳ）、本処理を終了し、図６の表示制御処理のフローに戻る。
【０１０４】
一方、通信端末３の取得動作が開始された場合（ステップＳ５０２：ＹＥＳ）、取得判定部１１６は、通信端末３の取得動作が完了したか否かを判定する（ステップＳ５０４）。
【０１０５】
通信端末３の取得動作が完了していない場合（ステップＳ５０４：ＮＯ）、取得動作が完了するまでこのステップＳ５０４を繰り返し実行する。通信端末３の取得動作が完了した場合（ステップＳ５０４：ＹＥＳ）、上下判定部１１２は、「上下判定処理」を実行する（ステップＳ５０５）。そして、視認状態判定部１１３は、「視認状態判定処理」を実行する（ステップＳ５０６）。
【０１０６】
そして、表示データ出力部１１４は、視認可能な上側の表示部１６０に全表示項目を示すデータが含まれた表示データを出力する（ステップＳ５０７）とともに、視認不能な下側の表示部１６０に表示データを出力しない。そして、図６の表示制御処理のフローに戻る。
【０１０７】
以上説明したように、実施の形態４では、通信端末３は、ユーザが通信端末３を取る動作を完了したタイミングを取得動作タイミングとして取得し、この取得動作タイミングに応じて、表示部１６０に表示データを出力するタイミングを決定する。従って、通信端末３は、意図しないタイミングで表示部１６０に表示データが出力されることが回避され、第三者への情報の漏洩を防止することができる。
【０１０８】
（実施の形態５）
次に、本発明の実施の形態５について図１４と図１５を参照して説明する。
【０１０９】
上記実施の形態１〜４では、具体的な表示制御装置１００、３００について説明したが、本実施の形態５では、最小構成から成る表示制御装置５００について説明する。
【０１１０】
図１４に示す通信端末５には、表示制御装置５００が備えられている。
【０１１１】
表示制御装置５００は、姿勢取得手段としての姿勢取得部５１０、視認状態判定手段としての視認状態判定部５２０及び表示データ出力手段としての表示データ出力部５３０を備えている。
【０１１２】
姿勢取得部５１０は、通信端末５の筐体の姿勢を取得するものである。
【０１１３】
視認状態判定部５２０は、姿勢取得部５１０によって取得された筐体の姿勢に応じて、通信端末５の複数の表示部のうちユーザが視認可能な表示部を判定するものである。
【０１１４】
表示データ出力部５３０は、視認状態判定部５２０の判定結果に基づいて、表示部に表示データを出力するものである。表示データには、例えば、「着信中」のメッセージや「着信日時」、「相手の氏名」、「相手の電話番号」がある。
【０１１５】
また、通信端末５は、表示制御装置５００の他に、通信部１２０、音声処理部１３０、操作部１５０、表示部１６０、報知部１７０などを備えている。表示部１６０は複数設けられており、複数の表示部１６０は筐体の互いに異なる面に配置されている。
【０１１６】
次に、図１５を参照しながら、表示制御装置５００において実行される「表示制御処理」について説明する。
【０１１７】
表示制御処理が開始されると、姿勢取得部５１０は、通信端末５の筐体の姿勢を取得する「姿勢取得処理」を実行する（ステップＳ６０１）。次に、視認状態判定部５２０は、姿勢取得部５１０によって取得された筐体の姿勢に応じて、通信端末５の複数の表示部のうちユーザが視認可能な表示部を判定する「視認状態判定処理」を実行する（ステップＳ６０２）。
【０１１８】
表示データ出力部５３０は、視認状態判定部５２０の判定結果に基づいて、通信端末５の表示部に表示データを出力する（ステップＳ６０３）。例えば、表示データ出力部５３０は、ユーザが視認可能な表示部に、設定された表示項目を示すデータが含まれた表示データを出力するとともに、ユーザが視認不能な表示部に表示データを出力しない。
【０１１９】
上述したように表示制御装置５を、例えば、ユーザが視認可能な表示部に表示データを出力し、ユーザが視認不能な表示部に表示データを出力しない、即ち、ユーザにとっては視認不能だが第三者にとっては視認可能である表示部に表示データを出力しない設定とする。
【０１２０】
また、表示制御装置５を、例えば、通信端末５がテーブルの上に置かれた状態では、ユーザと第三者にとって視認不能な表示部に表示データを出力し、ユーザと第三者にとって視認可能な表示部に表示データを出力しない設定とする。この場合には、ユーザは通信端末５を手に取り、裏返すことで簡単に表示データを確認することができる。なお、表示部への表示データの出力をする制御方法は任意である。
【０１２１】
表示制御装置５は、上述したように表示部への表示データの出力を制御するので、第三者への情報の漏洩を防止することが可能となり、ユーザの利便性を維持することができる。
【０１２２】
なお、本発明は、説明した実施の形態１〜５に限定されることなく、種々の態様で実施することができる。
【０１２３】
（変形例）
実施の形態１〜５では、通信端末１、３、５の姿勢に応じて、視認可能な表示部１６０を判定しているが、これに加えて他の適当な条件やパラメータ、例えば、表示部１６０に入り込む光量を検出し、検出された光量にさらに応じて視認可能な表示部１６０を判定してもよい。
【０１２４】
実施の形態１〜４では、通信端末１、３が折り畳み型であるが、互いに異なる面に複数の表示部１６０が設けられていればよく、例えば、各筐体を分離・連結可能なものでもよく、単一の筐体の表面と裏面に表示部１６０が設けられたものでもよい。
【０１２５】
実施の形態１〜４では、通信端末１、３を折り畳み型とし、第１の筐体１１と第２の筐体１２の相互の配置を検出する筐体配置検出手段を備える構成としたが、例えば、通信端末が単一の筐体からなるものである場合には、筐体配置検出手段を備えない構成としてもよい。
【０１２６】
実施の形態１〜４では、第１の筐体１１と第２の筐体１２とが、それらの短辺において連結されている構成としたが、例えば、第１の筐体１１と第２の筐体１２とが、それらの長辺において連結されている構成としてもよい。また、筐体１１、１２の形状は略矩形に限られず、例えば、略正方形であってもよい。
【０１２７】
実施の形態１〜４では、通信端末１、３は、第１の形態、第２の形態及び第３の形態を取り得るものとして説明したが、通信端末１、３は、第１から第３の全ての形態を取り得るものに限られず、少なくとも第２の形態及び第３の形態を取り得るものであればよい。
【０１２８】
実施の形態１〜４では、姿勢取得手段は、ジャイロスコープ１８２から構成されることとしたが、姿勢取得手段は、筐体の姿勢を取得することができればよく、例えば、表示部１６０に入り込む光量を検出し、検出された光量に応じて筐体の姿勢を取得するものでもよい。
【０１２９】
実施の形態１〜４では、筐体配置検出手段は、形態判定部１１１と角度センサ１８１から構成されることとしたが、筐体配置検出手段は、複数の筐体の相互の配置を検出することができればよく、筐体配置検出手段の構成は、必ずしもこれらのものに限られない。例えば、筐体配置検出手段を、各筐体に搭載されたジャイロスコープから各筐体の相互の配置を検出する構成としてもよい。
【０１３０】
実施の形態１〜４では、制御部１１０が、形態判定部１１１、上下判定部１１２、視認状態判定部１１３、表示データ出力部１１４、表示項目設定部１１５等の機能構成を備える構成としたが、各機能構成を制御部１１０から独立した構成としてもよく、また、これらの機能構成のうち一部を制御部１１０から独立した構成としてもよい。
【０１３１】
実施の形態１〜４では、接触検出手段は、タッチセンサ３８２から構成されることとしたが、接触検出手段は、筐体とユーザとの接触の有無を検出することができればよく、例えば、ユーザが筐体を掴めば押下されるボタンスイッチでもよい。
【０１３２】
実施の形態３及び４では、シークレットモード機能を用いていないが、シークレットモードの設定及び解除に応じて、表示項目を切り換えてもよい。
【０１３３】
実施の形態３では、ユーザが通信端末３を取る動作を開始したタイミングを取得動作タイミングとして取得し、また、実施の形態４では、ユーザが通信端末３を取る動作を完了したタイミングを取得動作タイミングとして取得したが、ユーザが通信端末３を取る動作を開始したタイミングと動作を完了したタイミングの両時点を取得動作タイミングとして取得してもよい。
【０１３４】
上述の実施の形態１〜５では、通信端末１、３、５が携帯電話の場合を例に説明したが、本実施の形態は、携帯電話以外の通信端末、例えば、パソコン、電子手帳及びタブレット端末にも適用できる。その他、本発明の趣旨の範囲内で、細部の構成を適宜、変更することが可能である。
【０１３５】
上記の実施の形態の一部又は全部は、以下の付記のようにも記載されうるが、以下には限られない。
【０１３６】
（付記１）
筐体の互いに異なる面に配置された複数の表示部への表示データの出力を制御する表示制御装置であって、
前記筐体の姿勢を取得する姿勢取得手段と、
当該取得された筐体の姿勢に応じて、前記複数の表示部のうちユーザが視認可能な表示部を判定する視認状態判定手段と、
当該視認状態判定手段の判定結果に基づいて、前記表示部に表示データを出力する表示データ出力手段と、
を備えることを特徴とする表示制御装置。
【０１３７】
（付記２）
前記表示データには、表示項目を示すデータである表示項目データが複数含まれ、
前記表示データ出力手段は、前記視認可能と判定された表示部に前記複数の表示項目データのうちの一部を出力し、前記視認可能と判定されなかった表示部に前記複数の表示項目データの全てを出力する、
ことを特徴とする付記１に記載の表示制御装置。
【０１３８】
（付記３）
前記表示データには、表示項目を示すデータである表示項目データが複数含まれ、
前記表示データ出力手段は、前記視認可能と判定された表示部に前記複数の表示項目データのうちの一部を出力し、前記視認可能と判定されなかった表示部に表示データを出力しない、
ことを特徴とする付記１に記載の表示制御装置。
【０１３９】
（付記４）
前記視認可能と判定された表示部に出力する前記表示項目データを設定する表示項目設定手段をさらに備える、
ことを特徴とする付記１乃至３のいずれか１つに記載の表示制御装置。
【０１４０】
（付記５）
ユーザが前記筐体を手に取る動作を開始したタイミング及び完了したタイミングの少なくとも一方を取得動作タイミングとして取得する取得動作タイミング取得手段をさらに備え、
前記表示データ出力手段は、前記取得された取得動作タイミングに応じて、前記表示部に表示データを出力するタイミングを決定する、
ことを特徴とする付記１乃至４のいずれか１つに記載の表示制御装置。
【０１４１】
（付記６）
前記筐体の加速度を検出する加速度検出手段と、
前記筐体とユーザとの接触の有無を検出する接触検出手段とをさらに備え、
前記取得動作タイミング取得手段は、前記検出された筐体の加速度及び前記筐体とユーザとの接触の有無に応じて、前記取得動作タイミングを取得する、
ことを特徴とする付記５に記載の表示制御装置。
【０１４２】
（付記７）
前記表示データ出力手段は、前記取得動作タイミングが取得されない場合、表示データを出力しない、
ことを特徴とする付記５又は６に記載の表示制御装置。
【０１４３】
（付記８）
前記筐体は相互の配置を変更可能な複数の筐体から構成され、
前記複数の筐体の相互の配置を検出する筐体配置検出手段をさらに備え、
前記視認状態判定手段は、前記検出された複数の筐体の配置にさらに応じて、前記複数の表示部のうちユーザが視認可能な表示部を判定する、
ことを特徴とする付記１乃至７のいずれか１つに記載の表示制御装置。
【０１４４】
（付記９）
筐体の互いに異なる面に複数の表示部を有し、付記１乃至８のいずれか１つに記載の表示制御装置を備える通信端末。
【０１４５】
（付記１０）
筐体の互いに異なる面に配置された複数の表示部への表示データの出力を制御する表示制御方法であって、
前記筐体の姿勢を取得する姿勢取得ステップと、
当該取得された筐体の姿勢に応じて、前記複数の表示部のうちユーザが視認可能な表示部を判定する視認状態判定ステップと、
当該視認状態判定手段の判定結果に基づいて、前記表示部に表示データを出力する表示データ出力ステップと、
を備えることを特徴とする表示制御方法。
【０１４６】
（付記１１）
前記表示データには、表示項目を示すデータである表示項目データが複数含まれ、
前記表示データ出力ステップでは、前記視認可能と判定された表示部に前記複数の表示項目データのうちの一部を出力し、前記視認可能と判定されなかった表示部に前記複数の表示項目データの全てを出力する、
ことを特徴とする付記１０に記載の表示制御方法。
【０１４７】
（付記１２）
前記表示データには、表示項目を示すデータである表示項目データが複数含まれ、
前記表示データ出力ステップでは、前記視認可能と判定された表示部に前記複数の表示項目データのうちの一部を出力し、前記視認可能と判定されなかった表示部に表示データを出力しない、
ことを特徴とする付記１０に記載の表示制御方法。
【符号の説明】
【０１４８】
１、３、５…通信端末
１１…第１の筐体
１２…第２の筐体
１３…ヒンジ
１００、３００、５００…表示制御装置
１１０、３１０…制御部
１２０…通信部
１２１…アンテナ
１３０…音声処理部
１３１…スピーカ
１３２…マイクロフォン
１４０…記憶部
１５０…操作部
１６０…表示部
１６０Ａ…第１の表示部
１６０Ｂ…第２の表示部
１７０…報知部
１８０、３８０…状態検出部
１８１…角度センサ
１８２…ジャイロスコープ
１１１…形態判定部
１１２…上下判定部
１１３…視認状態判定部
１１４…表示データ出力部
１１５…表示項目設定部
３８３…タッチセンサ
３８４…加速度センサ
３１６…取得判定部
５１０…姿勢取得部
５２０…視認状態判定部
５３０…表示データ出力部
【図１】
2014048520.tif 000003
【図２】
2014048520.tif 000004
【図３】
2014048520.tif 000005
【図４】
2014048520.tif 000006
【図５】
2014048520.tif 000007
【図６】
2014048520.tif 000008
【図７】
2014048520.tif 000009
【図８】
2014048520.tif 000010
【図９】
2014048520.tif 000011
【図１０】
2014048520.tif 000012
【図１１】
2014048520.tif 000013
【図１２】
2014048520.tif 000014
【図１３】
2014048520.tif 000015
【図１４】
2014048520.tif 000016
【図１５】
2014048520.tif 000017